(57)【要約】【課題】利用者が自らエネルギー供給プランを設定する構成に比べて、利用者に適したエネルギー供給プランに基づいて供給されるエネルギーを、利用者がより簡易に得る。【解決手段】利用者が契約している契約小売業者に用いられるエネルギー供給プラン設定システムであって、他の小売業者のエネルギー供給プランの情報を取得する取得手段と、取得手段により取得された情報をもとに、利用者に適したエネルギー供給プランを設定する設定手段と、を有することを特徴とするエネルギー供給プラン設定システム。【選択図】図４
2020095507.tif 000002
【特許請求の範囲】
【請求項１】
利用者が契約している契約小売業者に用いられるエネルギー供給プラン設定システムであって、
他の小売業者のエネルギー供給プランの情報を取得する取得手段と、
前記取得手段により取得された前記情報をもとに、前記利用者に適したエネルギー供給プランを設定する設定手段と、
を有することを特徴とするエネルギー供給プラン設定システム。
【請求項２】
前記取得手段により取得された前記情報には、前記他の小売業者から供給されるエネルギーの商品としての特質に関する情報が含まれることを特徴とする請求項１記載のエネルギー供給プラン設定システム。
【請求項３】
前記利用者の要望を取得する要望取得手段をさらに有し、
前記設定手段は、前記要望取得手段により取得された前記要望から、前記利用者に適したエネルギー供給プランを設定することを特徴とする請求項１または２記載のエネルギー供給プラン設定システム。
【請求項４】
前記要望取得手段により取得される前記要望には、前記利用者が希望する、エリア別エネルギー、供給種類別エネルギー、および料金プランの少なくとも何れか一つが含まれることを特徴とする請求項３記載のエネルギー供給プラン設定システム。
【請求項５】
前記利用者のエネルギーの利用実績を把握する把握手段と、
前記把握手段により把握された前記利用実績を、前記設定手段により設定された前記エネルギー供給プランに当てはめて、実際に請求すべき料金を算出する請求料金算出手段と、
をさらに有し、
前記設定手段は、前記利用実績に対して適用する前記エネルギー供給プランを設定することを特徴とする請求項１記載のエネルギー供給プラン設定システム。
【請求項６】
コンピュータに、
他の小売業者のエネルギー供給プランの情報を取得する取得機能と、
前記取得機能により取得された前記情報をもとに、利用者に適したエネルギー供給プランを設定する機能と、
を実現させるための、プログラム。
【発明の詳細な説明】
【技術分野】
【０００１】
本発明は、エネルギー供給プラン設定システムおよびプログラムに関する。
【背景技術】
【０００２】
例えば特許文献１には、変動条件に依存しない従量課金制のプラン、時間帯に応じて電気料金の単価が変動するプラン、季節に応じて電気料金の単価が変動するプランなど複数パターンのプランが作成され、料金算出手段は、これら種々のパターンの料金プランを読み出し、推定使用量に基づいて所望期間における電力料金を算出することが開示されている。
例えば特許文献２には、利用者が設定した期間における電力データを現行料金プランに適用した場合の第１電気料金と、電力データを比較対象プランに適用した場合の第２電気料金との差額を算出結果として表示することが開示されている。
【先行技術文献】
【特許文献】
【０００３】
【特許文献１】特開２０１６−０４５５６０号公報
【特許文献２】特開２０１７−１９１５２２号公報
【発明の概要】
【発明が解決しようとする課題】
【０００４】
電気料金プランから最も低額となるものを選定し表示する技術や、現行の料金プランと比較対象プランとの差額を算出結果として表示する技術が存在する。
しかしながら、これらの技術は、利用者に対する情報提供に留まっていた。そのため、現行の料金プランとは異なる他の料金プランを利用したい利用者は、小売業者を変える度に、各種個人情報や切り替え前の小売業者の情報などを入力する煩雑な作業が必要であり、このことが、他の料金プランへの変更に対する利用者の障害となっていた。
【０００５】
本発明の目的は、利用者が自らエネルギー供給プランを設定する構成に比べて、利用者に適したエネルギー供給プランに基づいて供給されるエネルギーを、利用者がより簡易に得ることにある。
【課題を解決するための手段】
【０００６】
請求項１に記載の発明は、利用者が契約している契約小売業者に用いられるエネルギー供給プラン設定システムであって、他の小売業者のエネルギー供給プランの情報を取得する取得手段と、前記取得手段により取得された前記情報をもとに、前記利用者に適したエネルギー供給プランを設定する設定手段と、を有することを特徴とするエネルギー供給プラン設定システムである。
請求項２に記載の発明は、前記取得手段により取得された前記情報には、前記他の小売業者から供給されるエネルギーの商品としての特質に関する情報が含まれることを特徴とする請求項１記載のエネルギー供給プラン設定システムである。
請求項３に記載の発明は、前記利用者の要望を取得する要望取得手段をさらに有し、前記設定手段は、前記要望取得手段により取得された前記要望から、前記利用者に適したエネルギー供給プランを設定することを特徴とする請求項１または２記載のエネルギー供給プラン設定システムである。
請求項４に記載の発明は、前記要望取得手段により取得される前記要望には、前記利用者が希望する、エリア別エネルギー、供給種類別エネルギー、および料金プランの少なくとも何れか一つが含まれることを特徴とする請求項３記載のエネルギー供給プラン設定システムである。
請求項５に記載の発明は、前記利用者のエネルギーの利用実績を把握する把握手段と、前記把握手段により把握された前記利用実績を、前記設定手段により設定された前記エネルギー供給プランに当てはめて、実際に請求すべき料金を算出する請求料金算出手段と、をさらに有し、前記設定手段は、前記利用実績に対して適用する前記エネルギー供給プランを設定することを特徴とする請求項１記載のエネルギー供給プラン設定システムである。
請求項６に記載の発明は、コンピュータに、他の小売業者のエネルギー供給プランの情報を取得する取得機能と、前記取得機能により取得された前記情報をもとに、利用者に適したエネルギー供給プランを設定する機能と、を実現させるための、プログラムである。
【発明の効果】
【０００７】
本発明によれば、利用者が自らエネルギー供給プランを設定する構成に比べて、利用者に適したエネルギー供給プランに基づいて供給されるエネルギーを、利用者がより簡易に得ることができる。
【図面の簡単な説明】
【０００８】
【図１】エネルギー供給プラン設定システムの全体構成例を示す図である。
【図２】サーバおよび端末のハードウェア構成例を示す図である。
【図３】サーバの機能構成例を示した図である。
【図４】エネルギー供給プラン管理テーブルの一例を示した図である。
【図５】要望入力画面の一例を示した図である。
【図６】利用実績管理テーブルの一例を示した図である。
【図７】請求料金説明画面の一例を示した図である。
【図８】サーバによる処理の流れを示したフローチャートである。
【発明を実施するための形態】
【０００９】
以下、添付図面を参照して、本発明の実施形態について詳細に説明する。
＜エネルギー供給プラン設定システム１の構成＞
図１は、本実施形態に係るエネルギー供給プラン設定システム１の全体構成例を示す図である。
本実施形態に係るエネルギー供給プラン設定システム１は、エネルギーの利用者に対してエネルギーを供給する場合に適用するエネルギー供給プランを、このエネルギーの利用者に適したエネルギー供給プランに設定するシステムである。エネルギーの利用者のことを、以下では、単に利用者と称する。エネルギー供給プランとは、予め定められた体系に基づいて利用者に対してエネルギーを供給する計画である。予め定められた体系としては、例えば、予め定められた料金プラン、予め定められたエネルギーの供給種類、予め定められたエネルギーの生産エリアなどが挙げられる。エネルギーの供給種類とは、利用者に対して供給するエネルギーを生産するために用いられる手法の種類である。エネルギーの供給種類の具体例については、後述する。エネルギーとしては、例えば、電気やガスなどが挙げられる。
【００１０】
本実施形態では、エネルギー供給プラン設定システム１は、利用者に対してエネルギーを供給する場合に適用するエネルギー供給プランとして、家庭用のエネルギー供給プランを設定してもよいし、産業用のエネルギー供給プランを設定してもよい。すなわち、エネルギー供給プラン設定システム１により設定可能なエネルギー供給プランは、エネルギー供給プランが適用されるエネルギーの供給態様によって限定されるものではない。
【００１１】
エネルギー供給プラン設定システム１は、エネルギーの小売業者に用いられる。具体的には、エネルギー供給プラン設定システム１は、利用者が契約しているエネルギーの小売業者に用いられる。エネルギーの小売業者とは、エネルギーを商品として利用者に販売する業者である。利用者が契約しているエネルギーの小売業者を、以下では、契約小売業者と称する。
エネルギー供給プラン設定システム１は、サーバ１０と、端末２０と、計量器３０とを備える。サーバ１０と、端末２０と、計量器３０とは、ネットワークを介して接続されている。
【００１２】
サーバ１０は、利用者に対してエネルギーを供給する場合に適用されるエネルギー供給プランを設定する。利用者に対して供給されるエネルギーは、例えば、施設４０において利用者に利用される。
本実施形態のサーバ１０は、エネルギー供給プランに関する利用者の要望を取得する。また、サーバ１０は、他の小売業者のエネルギー供給プランの情報を取得する。さらに、利用者のエネルギーの利用実績を取得する。そして、取得した利用者の要望、他の小売業者のエネルギー供給プランの情報、および利用者のエネルギーの利用実績に基づいて、利用者に適したエネルギー供給プランを設定する。他の小売業者とは、契約小売業者とは異なるエネルギーの小売業者である。
【００１３】
サーバ１０は、例えば、コンピュータにより実現される。サーバ１０は、単一のコンピュータにより構成しても良いし、複数のコンピュータによる分散処理により実現しても良い。また、サーバ１０は、クラウドコンピューティングにより提供される仮想的なハードウェア上にて実現してもよい。
【００１４】
端末２０は、エネルギー供給プランに関する利用者の要望を入力可能に設けられている。端末２０は、入力された利用者の要望を、要望を出した利用者を識別可能な利用者識別情報とともにサーバ１０へ送信する。端末２０は、情報を表示する表示部２１を備える。
端末２０は、例えば、コンピュータ、タブレット型情報端末、その他の情報処理装置により実現される。
【００１５】
計量器３０は、施設４０におけるエネルギーの利用量を計量する。本実施形態の計量器３０は、予め定められた時間（例えば１時間）ごとのエネルギーの利用量を計量し、計量したエネルギーの利用量の情報を、利用者識別情報とともにサーバ１０へ送信する。計量器３０は、例えば、スマートメーターにより実現される。
【００１６】
サーバ１０と端末２０との接続およびサーバ１０と計量器３０との接続に用いられるネットワークは、データの送受信が可能であれば、その種類は特に限定されず、例えばインターネット、ＬＡＮ（Local Area Network）、ＷＡＮ（Wide Area Network）等として良い。データ通信に用いられる通信回線は、有線であっても無線であっても良い。また、複数のネットワークや通信回線を介して各装置を接続する構成としても良い。
【００１７】
＜ハードウェア構成例＞
図２は、サーバ１０および端末２０のハードウェア構成例を示す図である。
図２に示すように、サーバ１０および端末２０は、演算手段であるＣＰＵ(Central Processing Unit)１００ａと、主記憶手段であるメモリ１００ｃとを備える。また、各装置は、外部デバイスとして、不揮発性記録デバイス１００ｇ、ネットワークインターフェイス１００ｆ、表示機構１００ｄ、音声機構１００ｈ、キーボードやマウス等の入力デバイス１００ｉ等を備える。
【００１８】
メモリ１００ｃおよび表示機構１００ｄは、システムコントローラ１００ｂを介してＣＰＵ１００ａに接続されている。また、ネットワークインターフェイス１００ｆ、不揮発性記録デバイス１００ｇ、音声機構１００ｈおよび入力デバイス１００ｉは、ブリッジコントローラ１００ｅを介してシステムコントローラ１００ｂと接続されている。各構成要素は、システムバスや入出力バスなどの各種のバスによって接続される。
【００１９】
不揮発性記録デバイス１００ｇには、各機能を実現するためのプログラムが格納されている。そして、このプログラムがメモリ１００ｃにロードされ、このプログラムに基づく処理がＣＰＵ１００ａにより実行されることで、各種の機能が実現される。不揮発性記録デバイス１００ｇとしては、例えば、ＳＳＤ（Solid State Drive）等の半導体メモリやＨＤＤ（Hard Disk Drive）等の磁気ディスク装置などが挙げられる。
【００２０】
＜サーバ１０の機能構成＞
次に、サーバ１０の機能構成について説明する。
図３は、サーバ１０の機能構成例を示した図である。
サーバ１０は、送受信部１１と、要望管理部１２と、プラン管理部１３と、抽出部１４と、実績管理部１５と、算出部１６と、設定部１７とを備える。
【００２１】
送受信部１１は、ネットワークを介して端末２０（図１参照）および計量器３０と接続するためのネットワークインターフェイスである。これにより、サーバ１０は、端末２０および計量器３０とデータ交換を行う。
【００２２】
要望取得手段の一例としての要望管理部１２は、エネルギー供給プランに関する利用者の要望を管理する。要望管理部１２は、端末２０に入力された利用者の要望および利用者識別情報を、送受信部１１を介して取得する。そして、取得した要望を、取得した利用者識別情報に関連付けて管理する。
【００２３】
取得手段の一例としてのプラン管理部１３は、エネルギー供給プランを管理する。本実施形態では、例えば、エネルギー供給プラン設定システム１のユーザが、他の小売業者のエネルギー供給プランの情報を不図示の端末に入力し、入力した情報をサーバ１０へ送信する。エネルギー供給プラン設定システム１のユーザとは、エネルギー供給プランの設定を可能にするためにエネルギー供給プラン設定システム１に対して必要な処理を行う者である。プラン管理部１３は、他の小売業者のエネルギー供給プランの情報を送受信部１１を介して取得し、取得した情報から特定される他の小売業者のエネルギー供給プランを管理する。プラン管理部１３の管理内容については、後に詳述する。
【００２４】
抽出部１４は、プラン管理部１３に管理されているエネルギー供給プランのうち、利用者に適した一以上のエネルギー供給プランを抽出する。抽出部１４は、要望管理部１２に管理されている利用者の要望を参照する。そして、プラン管理部１３に管理されているエネルギー供給プランのうち、参照した利用者の要望を満たすエネルギー供給プランを、利用者に適したエネルギー供給プランとして抽出する。
【００２５】
把握手段の一例としての実績管理部１５は、利用者のエネルギーの利用実績を管理する。実績管理部１５は、計量器３０から送信されたエネルギーの利用量の情報および利用者識別情報を、送受信部１１を介して取得する。そして、取得したエネルギーの利用量の情報から特定されるエネルギーの利用実績を、取得した利用者識別情報に関連付けて管理する。
【００２６】
請求料金算出手段の一例としての算出部１６は、利用者のエネルギーの利用実績に基づいて、利用者に実際に請求すべき料金を算出する。算出部１６は、実績管理部１５に管理されている利用実績を、抽出部１４に抽出されたエネルギー供給プランに当てはめて、利用者に請求すべき料金を算出する。抽出部１４により複数のエネルギー供給プランが抽出された場合、算出部１６は、抽出されたエネルギー供給プランの各々に利用実績を当てはめて料金を算出する。
また、算出部１６は、利用者に対してエネルギーを供給する場合において現在適用されているエネルギー供給プランに利用実績を当てはめて料金を算出する。例えば、算出部１６は、設定部１７により現在設定されているエネルギー供給プランに利用実績を当てはめて料金を算出する。そして、算出したこの料金と、抽出部１４に抽出されたエネルギー供給プランに利用実績を当てはめて算出した料金との差額を算出する。
【００２７】
設定部１７は、利用者に対してエネルギーを供給する場合に適用するエネルギー供給プランを設定する。抽出部１４により一のエネルギー供給プランのみが抽出された場合、設定部１７は、この一のエネルギー供給プランを、利用者に対してエネルギーを供給する場合に適用するエネルギー供給プランに設定する。また、抽出部１４により複数のエネルギー供給プランが抽出された場合、設定部１７は、この複数のエネルギー供給プランの各々に基づいて算出部１６に算出された料金と、要望管理部１２に管理されている利用者の要望とに基づいて、利用者に最も適するエネルギー供給プランを判定する。そして、最も適すると判定したエネルギー供給プランを、利用者に対してエネルギーを供給する場合に適用するエネルギー供給プランに設定する。
抽出部１４および設定部１７は、他の小売業者のエネルギー供給プランの情報をもとに、利用者に適したエネルギー供給プランを設定する設定手段として捉えられる。
【００２８】
続いて、図４乃至図６を用いて、エネルギー供給プランの設定に用いられる情報について説明する。以下では、一例として、エネルギー供給プランに基づいて供給されるエネルギーの対象が電気である場合について説明する。
【００２９】
＜プラン管理部１３の管理内容＞
プラン管理部１３の管理内容について説明する。
図４は、エネルギー供給プラン管理テーブルの一例を示した図である。
図４に示すエネルギー供給プラン管理テーブルは、エネルギー供給プランを管理するためのテーブルである。
【００３０】
エネルギー供給プラン管理テーブルでは、「供給プラン」に、エネルギー供給プランの名称が示されている。
また、「小売業者」に、対象のエネルギー供給プランを有する他の小売業者の名称が示されている。
また、「契約電流」に、対象のエネルギー供給プランに基づいて電気を供給する場合に適用される契約電流が示されている。契約電流とは、施設４０（図１参照）において利用するための電気を供給する場合において、電気の供給を停止させることなく施設４０において同時に流すことができる電流の上限値である。
【００３１】
また、「供給種類」に、電気の供給種類の略称が示されている。電気の供給種類としては、例えば、火力発電、水力発電、原子力発電、太陽光発電、風力発電、地熱発電、バイオマス発電などが挙げられる。
また、「エリア」に、「供給種類」に係る電気の生産エリアが示されている。
【００３２】
また、「料金プラン」に、対象のエネルギー供給プランに基づいて電気を供給する場合に適用される料金プランが示されている。
「料金プラン」の「基本料金（円）」には、対象のエネルギー供給プランに基づいて電気を供給する場合に適用される基本料金が示されている。基本料金とは、電気の利用量に関わらず発生する料金である。
「料金プラン」の「従量料金（円／ｋＷｈ）」には、対象のエネルギー供給プランに基づいて電気を供給する場合に適用される従量料金が示されている。従量料金とは、電気の単位利用量あたりに発生する料金である。
【００３３】
また、「その他」には、付記的な事項が示されている。なお、「Ｆプラン」の「その他」には、「８：００〜１５：５９は従量料金１８円／ｋＷｈ」と示されている。これは、「Ｆプラン」においては、電気を利用する時間帯に応じて「従量料金（円／ｋＷｈ）」が変動することを意味する。
【００３４】
＜利用者の要望の入力例＞
続いて、エネルギー供給プランに関する利用者の要望の入力例について説明する。以下では、利用者である「Ａさん」がエネルギー供給プランに関する要望を入力する例について説明する。
図５は、要望入力画面５０の一例を示した図である。
図５に示す要望入力画面５０は、利用者がエネルギー供給プランに関する要望を入力するための画面である。要望入力画面５０は、端末２０（図１参照）の表示部２１に表示される。
【００３５】
要望入力画面５０には、日付表示部５１と、アンペア入力部５２と、供給種類入力部５３と、供給種類エリア入力部５４と、電気生産エリア入力部５６と、料金要望入力部５８とが表示されている。
【００３６】
日付表示部５１には、要望入力画面５０が表示されているときの日付が表示されている。図示の例では、日付表示部５１には、「２０１８年７月１日」が表示されている。
アンペア入力部５２は、利用者が望む契約電流を入力可能に設けられている。図示の例では、アンペア入力部５２には、「３０Ａ」が入力されている。
【００３７】
供給種類入力部５３は、利用者が望む電気の供給種類を入力可能に設けられている。図示の例では、供給種類入力部５３には、電気の供給種類としての太陽光発電を意味する「太陽光」が入力されている。
また、供給種類入力部５３に電気の供給種類が入力された場合、供給種類エリア入力部５４への入力が可能になる。供給種類エリア入力部５４は、供給種類入力部５３に入力された供給種類に係る電気の生産エリアとして利用者が望むエリアを入力可能に設けられている。図示の例では、供給種類エリア入力部５４には、「大阪府」が入力されている。また、追加ボタン５５を選択すると、供給種類入力部５３および供給種類エリア入力部５４が追加される。
【００３８】
電気生産エリア入力部５６は、利用者に対して供給される電気の生産エリアとして利用者が望むエリアを入力可能に設けられている。電気生産エリア入力部５６は、供給種類入力部５３に供給種類が入力されていない場合に入力可能となっている。また、追加ボタン５７を選択すると、電気生産エリア入力部５６が追加される。
【００３９】
料金要望入力部５８は、エネルギー供給プランにおける料金プランとして最も安い料金プランの希望を入力可能になっている。図示の例では、最も安い料金プランの希望が入力されている。
「Ａさん」がＯＫボタン５９を選択すると、入力された「Ａさん」の要望は、「Ａさん」に係る利用者識別情報とともに、サーバ１０へ送信される。サーバ１０へ送信された「Ａさん」の要望は、「Ａさん」に係る利用者識別情報に関連付けられて要望管理部１２に管理される。
【００４０】
なお、アンペア入力部５２に要望が入力されないままＯＫボタン５９が選択される場合、契約電流に関する利用者の要望がないものとして要望管理部１２に管理される。
また、供給種類入力部５３に要望が入力されないままＯＫボタン５９が選択される場合、電気の供給種類に関する利用者の要望がないものとして要望管理部１２に管理される。
また、供給種類エリア入力部５４および電気生産エリア入力部５６に要望が入力されないままＯＫボタン５９が選択される場合、電気の生産エリアに関する利用者の要望がないものとして要望管理部１２に管理される。
また、料金要望入力部５８に要望が入力されないままＯＫボタン５９が選択される場合、料金プランに関する利用者の要望がないものとして要望管理部１２に管理される。
【００４１】
＜抽出部１４の処理＞
次に、抽出部１４による処理について説明する。抽出部１４は、要望管理部１２に管理されている「Ａさん」の要望を参照する。そして、プラン管理部１３に管理されているエネルギー供給プラン（図４参照）のうち、「Ａさん」の要望である「契約電流：３０Ａ」、「供給種類：太陽光」および「供給種類に係る電気の生産エリア：大阪府」を満たすエネルギー供給プランを抽出する。具体的には、抽出部１４は、エネルギー供給プラン管理テーブルに管理されているエネルギー供給プランのうち、「Ａさん」の要望を満たす「Ｄプラン」および「Ｆプラン」を抽出する。
【００４２】
なお、要望管理部１２に管理されている「利用者」の要望のうち「契約電流」に関する要望がない場合、抽出部１４は、プラン管理部１３にて何れの「契約電流」が関連付けられて管理されているエネルギー供給プランも、この「利用者」の「契約電流」に関する要望を満たすエネルギー供給プランとして判定する。
また、要望管理部１２に管理されている「利用者」の要望のうち「供給種類」に関する要望がない場合、抽出部１４は、プラン管理部１３にて何れの「供給種類」が関連付けられて管理されているエネルギー供給プランも、この「利用者」の「供給種類」に関する要望を満たすエネルギー供給プランとして判定する。
また、要望管理部１２に管理されている「利用者」の要望のうち「電気の生産エリア」に関する要望がない場合、抽出部１４は、プラン管理部１３にて何れの「エリア」が関連付けられて管理されているエネルギー供給プランも、この「利用者」の「電気の生産エリア」に関する要望を満たすエネルギー供給プランとして判定する。
また、要望管理部１２に管理されている「利用者」の要望のうち「料金プラン」に関する要望がない場合、抽出部１４は、プラン管理部１３にて何れの「料金プラン」が関連付けられて管理されているエネルギー供給プランも、この「利用者」の「料金プラン」に関する要望を満たすエネルギー供給プランとして判定する。
【００４３】
利用者の要望を満たすエネルギー供給プランが抽出部１４により抽出された場合、例えば、この利用者が端末２０に要望を入力した月の翌月から、利用者の要望を反映したエネルギーが利用者に対して供給される。
なお、サーバ１０が取得した利用者の要望に、電気の供給種類の要望や電気の生産エリアの要望が含まれている場合、契約小売業者は、利用者の要望を満たす電気を調達して利用者に対して供給する。電気の調達方法としては、既存の技術を適用してよい。
この例では、２０１８年８月１日から、契約電流を「３０Ａ」として、「大阪府」において「太陽光」発電により生産された電気が「Ａさん」に対して供給される。
【００４４】
そして、利用者が端末２０に要望を入力した月の「翌月」が経過すると、この「翌月」における利用者のエネルギーの利用実績に対して適用されるエネルギー供給プランが設定される。
この例では、後述するように、２０１８年８月が経過すると、２０１８年８月における「Ａさん」の電気の利用実績に対して適用されるエネルギー供給プランが設定される。
【００４５】
＜実績管理部１５の管理内容＞
続いて、実績管理部１５の管理内容について説明する。
図６は、利用実績管理テーブルの一例を示した図である。
図６に示す利用実績管理テーブルは、利用者のエネルギーの利用実績を管理するためのテーブルである。図示の例では、「Ａさん」の２０１８年８月における電気の利用実績が示されている。
【００４６】
利用実績管理テーブルには、利用者が電気を利用した「期間」が示されている。図示の例では、「期間」として「８月１日〜８月３１日」が示されている。
また、利用実績管理テーブルには、「期間」において適用された契約電流を意味する「アンペア数」が示されている。図示の例では、「アンペア数」として「３０Ａ」が示されている。
【００４７】
また、利用実績管理テーブルには、電気の「時間帯別利用量」が示されている。図示の例では、「０：００〜７：５９」における電気の利用量である「５０ｋＷｈ」が示され、「８：００〜１５：５９」における電気の利用量である「１００ｋＷｈ」が示され、「１６：００〜２３：５９」における電気の利用量である「１５０ｋＷｈ」が示されている。
また、利用実績管理テーブルには、電気の「合計利用量」が示されている。図示の例では、「合計利用量」である「３００ｋＷｈ」が示されている。
【００４８】
＜算出部１６の処理＞
次に、算出部１６による処理について説明する。算出部１６は、実績管理部１５に管理されている「Ａさん」の電気の利用実績を参照する。そして、この利用実績を、抽出部１４に抽出された「Ｄプラン」および「Ｆプラン」の各「料金プラン」（図４参照）に当てはめて、料金を算出する。
【００４９】
算出部１６が「Ａさん」の電気の利用実績を「Ｄプラン」に当てはめて料金を算出する手法について、図４および図６を参照しながら説明する。「Ａさん」による電気の「合計利用量」は「３００ｋＷｈ」であるため、Ｄプランにおける料金は、「基本料金：１１００円」＋「従量料金：３００ｋＷｈ×２５円／ｋＷｈ」＝８６００円となる。
【００５０】
次に、算出部１６が「Ａさん」の電気の利用実績を「Ｆプラン」に当てはめて料金を算出する手法について、図４および図６を参照しながら説明する。「Ｆプラン」においては、「Ａさん」の電気の「合計利用量」のうち、「８：００〜１５：５９」の時間帯における利用量である「１００ｋＷｈ」に対応する従量料金として「１８円／ｋＷｈ」が適用され、その他の時間帯における利用量である「２００ｋＷｈ」に対応する従量料金として「２５円／ｋＷｈ」が適用される。そのため、Ｆプランにおける料金は、「基本料金：１３００円」＋「従量料金：１００ｋＷｈ×１８円／ｋＷｈ＋２００ｋＷｈ×２５円／ｋＷｈ」＝８１００円となる。
【００５１】
＜設定部１７の処理＞
次に、設定部１７による処理について説明する。設定部１７は、要望管理部１２に管理されている「Ａさん」の要望を参照する。そして、「Ａさん」の要望である「最も安い料金プランの希望」に基づいて、抽出部１４に抽出された「Ｄプラン」および「Ｆプラン」のうち、算出部１６に算出された料金がより低い「Ｆプラン」を、２０１８年８月における「Ａさん」の利用実績に対して適用するエネルギー供給プランに設定する。
【００５２】
＜請求料金の通知例＞
続いて、利用者に対する請求料金の通知例について説明する。なお、以下では、「Ａさん」に対してエネルギーを供給する場合において前回適用されていたエネルギー供給プラン、すなわち、２０１８年７月に適用されていたエネルギー供給プランとして、「Ｂプラン」（図４参照）が設定されていたものとして説明する。
図７は、請求料金説明画面６０の一例を示した図である。
図７に示す請求料金説明画面６０は、設定部１７に設定されたエネルギー供給プランにおける料金プランに、利用者のエネルギーの利用実績を当てはめて算出された請求料金を説明するための画面である。請求料金説明画面６０は、端末２０の表示部２１に表示される。
【００５３】
請求料金説明画面６０には、期間表示部６１と、アンペア表示部６２と、利用量表示部６３と、過去プラン表示部６９と、適用プラン表示部６４と、参考プラン表示部６５と、請求料金表示部６６と、差額表示部７１とが表示されている。
【００５４】
期間表示部６１には、利用者が電気を利用した期間が示されている。図示の例では、期間表示部６１に、「８月１日〜８月３１日」が示されている。
アンペア表示部６２には、期間表示部６１に表示されている期間において適用された契約電流が表示されている。図示の例では、アンペア表示部６２に、「３０Ａ」が示されている。
【００５５】
利用量表示部６３には、電気の時間帯別利用量が示されている。図示の例では、「０：００〜７：５９」における電気の利用量である「５０ｋＷｈ」が示され、「８：００〜１５：５９」における電気の利用量である「１００ｋＷｈ」が示され、「１６：００〜２３：５９」における電気の利用量である「１５０ｋＷｈ」が示されている。
また、利用量表示部６３には、電気の合計利用量が示されている。図示の例では、電気の合計利用量である「３００ｋＷｈ」が示されている。
【００５６】
過去プラン表示部６９には、利用者に対してエネルギーを供給する場合において前回適用されていたエネルギー供給プランが表示されている。図示の例では、過去プラン表示部６９には、「Ｂプラン」（図４参照）が表示されている。
【００５７】
適用プラン表示部６４には、利用者の電気の利用実績に対して適用されたエネルギー供給プランが表示されている。図示の例では、適用プラン表示部６４には、「Ｆプラン」（図４参照）が表示されている。
【００５８】
参考プラン表示部６５には、適用プラン閲覧ボタン６７と、他プラン閲覧ボタン６８と、過去プラン閲覧ボタン７０とが表示されている。利用者が適用プラン閲覧ボタン６７を選択すると、今回適用されたエネルギー供給プランの内容が表示される。また、利用者が他プラン閲覧ボタン６８を選択すると、他のエネルギー供給プランの内容が表示される。他のエネルギー供給プランとは、プラン管理部１３に管理されているエネルギー供給プランのうち、今回適用されたエネルギー供給プランとは異なるエネルギー供給プランである。また、利用者が過去プラン閲覧ボタン７０を選択すると、前回適用されていたエネルギー供給プランの内容が表示される。
【００５９】
請求料金表示部６６には、今回適用されたエネルギー供給プランにおける料金プランに、利用者のエネルギーの利用実績を当てはめて算出された請求料金が表示されている。図示の例では、請求料金表示部６６には、「８１００円」と表示されている。この請求料金は、算出部１６が「Ａさん」の電気の利用実績を「Ｆプラン」の料金プランに当てはめて算出した料金である。
【００６０】
差額表示部７１には、前回適用されていたエネルギー供給プランにおける料金プランに利用実績を当てはめて算出された料金と、今回適用されたエネルギー供給プランにおける料金プランに利用実績を当てはめて算出された料金との差額が表示されている。図示の例では、差額表示部７１には、「ＢプランからＦプランに切り替わったことにより、４００円安くなりました。」と表示されている。この差額は、前回適用されていた「Ｂプラン」の料金プランに利用実績を当てはめて算出された料金である「基本料金：１０００円」＋「従量料金：３００ｋＷｈ×２５円／ｋＷｈ」＝「８５００円」から、今回適用された「Ｆプラン」の料金プランに利用実績を当てはめて算出された料金である「８１００円」を差し引いた値である。
【００６１】
＜サーバ１０の処理例＞
続いて、サーバ１０による処理の流れについて説明する。図８は、サーバ１０による処理の流れを示したフローチャートである。
要望管理部１２は、送受信部１１を介して、端末２０からエネルギー供給プランに関する利用者の要望を取得する（Ｓ１０１）。
抽出部１４は、要望管理部１２に取得された利用者の要望、およびプラン管理部１３に管理されているエネルギー供給プランに基づいて、利用者に適したエネルギー供給プランを抽出する（Ｓ１０２）。
【００６２】
実績管理部１５は、送受信部１１を介して、計量器３０から利用者のエネルギーの利用実績を取得する（Ｓ１０３）。
設定部１７は、要望管理部１２に取得された利用者の要望および実績管理部１５に管理されている利用者のエネルギーの利用実績に基づいて、抽出部１４に抽出されたエネルギー供給プランのうち利用者に最も適するエネルギー供給プランを判定する。そして、利用者に最も適すると判定したエネルギー供給プランを、利用者に対してエネルギーを供給する場合に適用するエネルギー供給プランとして設定する（Ｓ１０４）。
【００６３】
このように、本実施形態では、プラン管理部１３に取得されたエネルギー供給プランの情報をもとに、利用者に適したエネルギー供給プランを設定する。
この場合、利用者が契約しているエネルギーの小売業者が変わることなく、利用者に適したエネルギー供給プランが設定される。そのため、利用者が、契約するエネルギーの小売業者を変えてエネルギー供給プランを自ら設定する場合に比べて、利用者に適したエネルギー供給プランに基づいて供給されるエネルギーを、利用者がより簡易に得ることができる。
【００６４】
また、本実施形態では、プラン管理部１３に取得されたエネルギー供給プランの情報には、他の小売業者から供給されるエネルギーの商品としての特質に関する情報が含まれる。ここで、エネルギーの商品としての特質とは、例えば、エネルギーの供給種類や、エネルギーの生産エリア等が挙げられる。
この場合、エネルギーの商品としての特質に基づいて、利用者に対するエネルギー供給プランの適性を見ることができる。
【００６５】
また、本実施形態では、利用者の要望から、利用者に適したエネルギー供給プランを設定する。ここで、利用者の要望には、利用者が希望する、エリア別エネルギー、供給種類別エネルギー、および料金プランの少なくとも何れか一つが含まれる。
この場合、利用者の要望に対する他の小売業者のエネルギー供給プランの適性に基づいて、利用者に対するエネルギー供給プランの適性を見ることができる。
【００６６】
また、本実施形態では、利用者のエネルギーの利用実績に対して適用するエネルギー供給プランを設定する。そして、この利用実績を、設定したエネルギー供給プランに当てはめて、実際に請求すべき料金を算出する。
この場合、利用者のエネルギーの利用実績に適したエネルギー供給プランに基づいて、利用実績に応じた料金を設定することができる。
【００６７】
なお、本実施形態では、他の小売業者のエネルギー供給プランの情報をもとに、利用者に対してエネルギーを供給する場合に適用するエネルギー供給プランを、他の小売業者のエネルギー供給プランに設定することを説明したが、これに限定されない。
例えば、他の小売業者のエネルギー供給プランのみならず、契約小売業者のエネルギー供給プランがプラン管理部１３に管理されてもよい。そして、契約小売業者のエネルギー供給プランが利用者に最も適したエネルギー供給プランであると設定部１７に判定された場合、利用者に対してエネルギーを供給する場合に適用するエネルギー供給プランを、契約小売業者のエネルギー供給プランに設定してもよい。
【００６８】
また、本実施形態では、一のエネルギー供給プランにおけるエネルギーの供給種類が一種類である場合に、この供給種類に係るエネルギーの生産エリアがプラン管理部１３に管理されている例（図４参照）を説明したが、これに限定されない。
例えば、一のエネルギー供給プランにおけるエネルギーの供給種類が複数種類である場合に、プラン管理部１３は、この複数種類の各々に係るエネルギーの生産エリアを、各供給種類に関連付けて管理してもよい。この場合において、抽出部１４が、利用者の要望に含まれている「エネルギーの生産エリア」、および、利用者の要望に含まれていない「エネルギーの生産エリア」が関連付けられた一のエネルギー供給プランを抽出するようにしてもよい。また、抽出部１４が、利用者の要望に含まれている「エネルギーの生産エリア」、および、利用者の要望に含まれていない「エネルギーの生産エリア」が関連付けられた一のエネルギー供給プランを抽出しないようにしてもよい。
【００６９】
また、利用者の要望に二以上の「エネルギーの生産エリア」が含まれている場合において、抽出部１４は、利用者の要望に含まれている「エネルギーの生産エリア」を一つでも満たすエネルギー供給プランを抽出するようにしてもよいし、利用者の要望に含まれている「エネルギーの生産エリア」を全て満たすエネルギー供給プランのみを抽出するようにしてもよい。
【００７０】
また、利用者の要望に二以上の「エネルギーの供給種類」が含まれている場合において、抽出部１４は、利用者の要望に含まれている「エネルギーの供給種類」を一つでも満たすエネルギー供給プランを抽出するようにしてもよいし、利用者の要望に含まれている「エネルギーの供給種類」を全て満たすエネルギー供給プランのみを抽出するようにしてもよい。
【００７１】
また、抽出部１４による抽出の対象となるエネルギー供給プランは、プラン管理部１３に管理されている全てのエネルギー供給プランに限定されない。
例えば、プラン管理部１３に管理されているエネルギー供給プランのうち予め定められた数（例えば５）のエネルギーの小売業者のエネルギー供給プランを、抽出部１４に抽出される対象となるエネルギー供給プランとしてもよい。予め定められた数のエネルギーの小売業者としては、例えば、プラン管理部１３に管理されているエネルギーの小売業者のうち、所有するエネルギー供給プランの数の多さの順位が予め定められた順位内に属するエネルギーの小売業者としてもよい。
また、抽出部１４に抽出される対象となるエネルギー供給プランの数は、利用者の要望に応じて変わってもよい。
【００７２】
また、抽出部１４により抽出されるエネルギー供給プランは、利用者が望む契約電流と同じ値の契約電流が関連付けられたエネルギー供給プランに限られない。
例えば、抽出部１４は、利用者が望む契約電流（例えば３０Ａ）よりも「小さい契約電流（例えば１５Ａ）」が関連付けられたエネルギー供給プランを、契約電流に関する利用者の要望を満たすエネルギー供給プランとして抽出してもよい。そして、設定部１７は、利用者の電気の利用実績において施設４０に同時に流れた電流が「小さい契約電流」以下であった場合には、この「小さい契約電流」が関連付けられたエネルギー供給プランを、利用者に対してエネルギーを供給する場合に適用するエネルギー供給プランに設定してもよい。
この場合において、計量器３０は、例えば、施設４０において同時に流れた電流値を計量する。そして、予め定められた期間（例えば一ヶ月）ごとに、この期間に施設４０において同時に流れた電流の最大値の情報を、利用者識別情報とともにサーバ１０へ送信する。
【００７３】
また、料金プランに関する利用者の要望は、上記の例に限定されない。
例えば、要望入力画面５０において、利用者が望む料金の上限額や料金の範囲を入力可能に設けられてもよい。そして、設定部１７は、要望入力画面５０において入力された料金を満たす料金プランが関連付けられたエネルギー供給プランを、利用者に対してエネルギーを供給する場合に適用するエネルギー供給プランに設定してもよい。
【００７４】
また、本実施形態では、利用者に対してエネルギーを供給する場合に適用するエネルギー供給プランを設定する場合において、他の小売業者のエネルギー供給プランと同一の内容を設定しているが、これに限定されない。
例えば、エネルギー供給プランにおける料金プランを、他の小売業者のエネルギー供給プランにおける料金プランから予め定められた金額を加算または減算した料金プランとして設定してもよい。また、エネルギー供給プランにおける料金プランを、他の小売業者のエネルギー供給プランにおける料金プランから予め定められた割合を乗算または除算した料金プランとして設定してもよい。すなわち、他の小売業者のエネルギー供給プランをもとにエネルギー供給プランを設定するものであればよい。
【００７５】
また、本実施形態では、利用者のエネルギーの利用実績に基づいて、この利用実績に対して適用するエネルギー供給プランを設定しているが、これに限定されない。
例えば、利用者のエネルギーの利用実績に基づいて、利用者の将来におけるエネルギーの利用に対して適用するエネルギー供給プランを設定してもよい。この場合に、例えば、算出部１６が、予め定められた期間（例えば一ヶ月）ごとに、利用者のエネルギーの利用実績に基づいて、利用者の将来におけるエネルギーの利用量を推定し、設定部１７は、推定された利用量に基づいて、利用者の将来におけるエネルギーの利用に対して適用するエネルギー供給プランを設定してもよい。この場合に、例えば、算出部１６は、人工知能（Artificial Intelligence）の機能を用いて、利用者のエネルギーの利用実績を解析し、解析結果に基づいて、利用者の将来におけるエネルギーの利用量を推定してもよい。人工知能による解析の手法としては、例えば、機械学習などが挙げられる。
【００７６】
また、本実施形態では、請求料金説明画面６０（図７参照）の差額表示部７１に、利用者に対してエネルギーを供給する場合に適用されるエネルギー供給プランが切り替わったことにより請求料金が安くなったことが表示されているが、これに限定されない。
例えば、利用者に対してエネルギーを供給する場合に適用されるエネルギー供給プランが切り替わったことにより請求料金が高くなった場合に、その旨を表示してもよい。
【００７７】
また、本実施形態では、サーバ１０がエネルギー供給プランを設定する構成としたが、これに限定されない。
例えば、端末２０がサーバ１０の機能を有してもよい。言い換えると、端末２０が、サーバ１０の送受信部１１、要望管理部１２、プラン管理部１３、抽出部１４、実績管理部１５、算出部１６、設定部１７等の機能を備えることとしてもよい。
【００７８】
また、本発明の実施形態を実現するプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて提供することも可能である。
【００７９】
以上、本発明の実施形態について説明したが、本発明の技術的範囲は上記の実施形態に記載の範囲には限定されない。上記の実施形態に、種々の変更又は改良を加えたものも、本発明の技術的範囲に含まれることは、特許請求の範囲の記載から明らかである。
【符号の説明】
【００８０】
１…エネルギー供給プラン設定システム、１０…サーバ、１１…送受信部、１２…要望管理部、１３…プラン管理部、１４…抽出部、１５…実績管理部、１６…算出部、１７…設定部、２０…端末、２１…表示部、３０…計量器
【図１】
2020095507.tif 000003
【図２】
2020095507.tif 000004
【図３】
2020095507.tif 000005
【図４】
2020095507.tif 000006
【図５】
2020095507.tif 000007
【図６】
2020095507.tif 000008
【図７】
2020095507.tif 000009
【図８】
2020095507.tif 000010